(57)【要約】【課題】固結性に乏しい砂礫・シルトといった地盤やそれらを対象とした水中掘削においても、掘削ずりを途中で落とすことなく、効率よく作業できるようにする。【解決手段】中掘り装置１は、掘削土を格納するカプセルパイプ４１と、その内側で相対回転するスクリュー４３と、その回転駆動装置５と、スクリュー軸４４の先端側に設けられた蓋体８とを有している。カプセルパイプ４１の底蓋をなす蓋体８は、スクリュー軸４４の先端に固設された上蓋８１と、上蓋に対して相対回転可能に設けられたシャッター（下蓋）９１とを有している。上蓋８１には、掘削土をカプセルパイプ４１内に取り込むための開口部が設けられている。下蓋としてのシャッター９１は、上蓋の開口部を必要に応じて開放・閉塞できるように回転スライドする。掘削中はシャッター９１は開放位置にセットされ、カプセル内が掘削土で一杯になると掘削土が滑落しないように閉塞位置にセットされる。【選択図】図１
0003145827.tif 000002
【実用新案登録請求の範囲】
【請求項１】
地盤を掘削するための掘削ビットと、
掘削を推進するにつれ生じた掘削土を内部に取り込み、孔外へ排出するまで格納するためのカプセルと、
前記カプセルの底蓋をなす蓋体と、
を有することを特徴とする中掘り装置。
【請求項２】
前記蓋体がスライド式のシャッターを含んで構成されていることを特徴とする請求項１記載の中掘り装置。
【考案の詳細な説明】
【技術分野】
【０００１】
本願考案は、ケーシングパイプや鋼管矢板などのケーシングパイプ類を圧入するに際し、該ケーシングパイプ類の内側に挿入して中掘りするために用いられる中掘り装置に関する。
【背景技術】
【０００２】
掘削を推進するにつれ掘削土を内部に取り込み、孔外へ排出するまでの間の該掘削土を格納するためのカプセルを有し、該カプセルの下端付近に地盤を掘削する掘削ビットを配設した中掘り装置が提案されている。このような中掘り装置は、硬質地盤用オールケーシング工や鋼管矢板の打ち込み工の際などの様々な中掘りの工程を（騒音・振動がさけられない）従来のハンマグラブに変わり、低騒音・低振動化させるものとして広く利用されている。
【特許文献１】特許第４０３０１０１号公報
【０００３】
以下、図７乃至図９に基づいて従来の中掘り装置について説明する。
図７は、従来の中堀り装置２を用いた施工態様の概略を示す全体図である。
図８は、図７の中掘り装置２を示す拡大図である。
図９（ａ）は図８のＡ−Ａ線に沿った断面図であり、図９（ｂ）は図８のＢ−Ｂ線に沿った断面図である。
【０００４】
従来の中掘り装置２は、ケーシングパイプ類６２（ケーシングパイプや鋼管矢板など）を圧入するに際し該ケーシングパイプ類６２の内側に挿入して中掘りするために用いられ、掘削に伴って生じた掘削土７３をケーシングパイプ類６２の外側（孔外）で排出できるようにクレーン７６によって吊設可能に構成されている。以下、図８及び図９に基づいて従来の中掘り装置２の概略構成を説明する。
【０００５】
中掘り装置２は、上部装置２ａと、下部装置２ｂと、反力伝達部材（内管４と外管６からなる断面矩形の略二重管構造）と、を含んで構成されている。上部装置２ａは、下部装置２ｂによる掘削のための回転反力を確保するために、ケーシングパイプ類６２の内壁に対し一時的に圧着固定される。下部装置２ｂは、上部装置２ａの下方の地盤を掘削する役割を担う。反力伝達部材（内管４と外管６からなる略二重管構造）は、全体として伸縮自在に構成され、上部装置１ｂで確保した回転反力を下部装置２ｂで利用できるようにする役割を担う。
【０００６】
中掘り装置２の上部装置２ａは、ピストンロッド７５の先端が下部装置２ｂに連結された油圧シリンダ７０と、ケーシングパイプ類６２の内壁面に対し反力をとるための複数の圧着装置と、を含んで構成されている。各圧着装置は、圧着体１２ａと楔体１２ｂとピン１２ｃと油圧シリンダ１５を有している。複数の圧着装置は、上部装置２ａにおいて油圧シリンダ７０を囲むように配置されている（図９（ａ）参照）。
【０００７】
圧着装置の圧着体１２ａは、中掘り装置２がケーシングパイプ類６２の内側に挿入された状態で該ケーシングパイプ類６２の内壁面に対し圧着される。これにより、回転駆動装置５の回転反力、油圧シリンダ７０の圧入反力を、ケーシングパイプ類６２に支持させることができる。
【０００８】
中掘り装置２の下部装置２ｂは、ドリルシャフト３０の外周に螺旋状に固設されたフィン３２を備えたオーガースクリュー３と、オーガースクリュー３を回転させるための回転駆動装置５と、オーガースクリュー３を囲繞するように設けられたカプセルパイプ９と、を含んで構成される。オーガースクリュー３の先端部と回転駆動装置５の間隔Ｌは、常に一定の長さである。
【０００９】
カプセルパイプ９は底部側が開口しており、オーガースクリュー３のフィン３２を囲繞するように設けられている。カプセルパイプ９の内側では、オーガースクリュー３が回転できるようになっており、オーガースクリュー３のフィン３２によりリフトアップされてきた掘削土７３を内側に収納する。カプセルパイプ内９に収容された掘削土７３は、オーガースクリュー３のフィン３２によって該カプセルパイプ９内に閉じ込められる。
なお、カプセルパイプ９は、上部装置２ａの油圧シリンダ７０の伸長する長さよりも長尺である。
【００１０】
上記構成の上部装置２ａと下部装置２ｂは、上部装置２ａ側に設けられた油圧シリンダ７０によって相互連結されている。
【００１１】
反力伝達部材（嵌合部材）は、断面四角形の内管４と、同じく断面四角形の外管６からなる略二重管構造で構成されている。外管６は上部装置２ａに連結され、内管４は下部装置２ｂに連結されている。このような構成の反力伝達部材は、油圧シリンダ７０の伸縮動作に従って自在に伸縮する一方で、上部装置１ｂで確保した回転反力を下部装置２ｂにおいて利用できるようにしている。
【００１２】
上記中掘り装置２を用いた掘削では、はじめに、地上部に設置されたケーシング圧入装置６１により圧入されたケーシングパイプ類６２の内側に、クレーン７６で吊設した中掘り装置２を挿入する。続いて、上部装置２ａの圧着体１２ａをケーシングパイプ類６２の内壁面に対し圧着させて、回転駆動装置５の回転反力および油圧シリンダ７０の圧入反力を該ケーシングパイプ類６２に支持させる。
【００１３】
そして、反力をケーシングパイプ類６２に支持させた状態で、上部装置２ａの油圧シリンダ７０を伸長させてオーガースクリュー３の先端部に押し込み作用を与え、下部装置２ｂの回転駆動装置５でオーガースクリュー３を回転させてその先端部で地盤を掘削する。掘削に伴って生じた掘削土７３は、オーガースクリュー３でリフトアップさせて、該オーガースクリュー３を囲繞するカプセルパイプ９の内側に収納する。
【００１４】
そして、適当なタイミングで圧着体１２ａによる圧着状態を解除して中掘り装置２を引上げ、ケーシングパイプ類６２の外側でオーガースクリュー３を逆回転させて、カプセルパイプ９内に収納された掘削土７３をカプセルパイプ９から排出させるようになっている。
【００１５】
なお、中掘り装置２の操作にあたっては、下記工程Ａ〜Ｄを繰り返し、下部装置２ｂのカプセルパイプ９の容量が一杯になるまで掘進する。
Ａ）  上部装置２ａの油圧シリンダ７０を伸長させて下部装置２ｂを掘進させた後、
ケーシングパイプ類６２に対する上部装置２ａの圧着固定状態を解除する。
Ｂ）  非圧着状態で油圧シリンダ７０を縮退させて上部装置２ａを降下させる。
Ｃ）  降下した上部装置２ａをケーシングパイプ類６２に固定させて反力を確保する。
Ｄ）  上部装置２ａの油圧シリンダ７０を伸長させて下部装置２ｂを掘進させる。
【考案の開示】
【考案が解決しようとする課題】
【００１６】
しかしながら、上述した従来の中掘り装置を用いた方法（いわゆる「スクリュードライバー工法」）には、排土性に関する点で問題があった。
すなわち、従来の中掘り装置でケーシングパイプ類内を掘削する際、特に固結性に乏しい砂礫・シルトといった地盤やそれらを対象とした水中掘削の際には、一般土砂と同様に掘削した掘削ずりをスクリューフィンを介して上昇させカプセルパイプ内に貯め圧縮効果を得ることで一時的に収納することも可能であった。ところが、カプセルパイプに底蓋がないため、ケーシング外へ掘削装置を吊り出す過程で、スクリューフィンを伝って滑落し、結果として、掘削した土を孔外へ排出することが困難で、掘進不能となっていた。
【００１７】
そこで、上述した従来技術の問題点に鑑み、本考案の目的は、従来工法（スクリュードライバー工法）で掘削が困難だった固結性に乏しい砂礫・シルトといった地盤やそれらを対象とした水中掘削においても、掘削ずりを途中で落とすこともなく、効率よく作業できるようにすることにある。
【課題を解決するための手段】
【００１８】
このような目的は、下記１）〜９）に記載の特徴によって達成される。
【００１９】
１）  掘削を推進するにつれ掘削土（掘削ずり）を内部に取り込み、孔外へ排出するまでの間の該掘削土を格納するためのカプセルパイプ(41)を有し、該カプセルパイプ(41)の下端付近に地盤を掘削する掘削ビット(21)を配設した中掘り装置(1)において、該カプセルパイプ(21)の下端側に配設された底蓋としての蓋体(8)。
【００２０】
２）  上記蓋体(8)が、カプセルパイプ(41)へ通ずる開口部(82)を開閉するシャッター(91)を有していて、このシャッター(91)が掘削時の装置の回転軸（掘削軸）にほぼ垂直な面上で回転スライドするように設けられていることを特徴とする掘削土格納用のカプセルパイプ(41)を有する中掘り装置(1)。
【００２１】
３）  掘削土格納用の上記カプセルパイプ(41)の下端にある回転スライド式の底蓋(8)が、地盤掘削時の回転方向に回転が加えられると、カプセルパイプ内に掘削推進につれ掘削土を格納することを自在にするように開口部(82)が設けられ、また、中掘り装置(1)の回転方向が逆になると、上記蓋体(8)のシャッター(91)が回転スライドして、上記開口部(82)を閉塞するようにされていることを特徴とする中掘り装置(1)。
【００２２】
４）  上記回転スライド式のシャッター(91)が略半円状であることを特徴とする。また、掘削土取り込み用の開口部(82)が、掘削作業時において上記蓋体(8)が開放されているときに略半円状となっていることを特徴とする。
【００２３】
５）  上記回転スライド式の蓋体(8)の下面に配設（植設）されていることを特徴とする掘削刃(21)。この掘削刃(21)は、蓋体(8)の下面に直接配設されてもよく、或いは、何らかの部材（台座など）を介して間接的に蓋体(8)の下面に配設されてもよい。
【００２４】
６）  上記回転スライド式の蓋体(8)の下面側に配設された掘削刃(21)が、掘削時の開口部(82)に隣接する側に配設されていることを特徴とする掘削刃(21)。
【００２５】
７）  上記回転スライド式の蓋体(8)の回転中心位置ないしその近傍に突設されていることを特徴とする掘削用のパイロットビット(22)。
【００２６】
８）  上記略半円状の回転スライド式の蓋体(8)に配設（植設）された掘削刃(21)が、掘削装置の回転力を介して装置下端の円断面より大きい径の円を形成することができ、掘削径を拡大自在に構成されていることを特徴とする中掘り装置(1)。
【００２７】
９）  上記１）〜９）の特徴を有する中掘り装置(1)がクレーン吊り下げ式であり、ケーシングパイプ類(62)内に自身を固定する反力を有している。
【考案の効果】
【００２８】
上記１）〜９）の特徴によれば、それぞれ、以下の作用効果が奏される。
【００２９】
１）  掘削土格納用のカプセルパイプ(41)から掘削土が滑落しないように閉塞することが可能となり、その結果、高い排土効率を確保される。
【００３０】
２）  本願考案では、掘削軸とシャッター(91)の回転面とがほぼ直交するように設定されている。このように、蓋体(8)のシャッター(91)を掘削軸に垂直な面上で回転スライドさせることで、格納した土砂の排出時に、掘削土を格納用のカプセルパイプ(41)から排出する際に、蓋体(8)の開口部(82)を徐々に広く開けることができ、（従って、掘削軸に平行に開く従来のアースバケット式のような扉状の底蓋のように、掘削土の重みが底蓋ヒンジの回転方向に掛かり、その重みにより急激に開放されるようなことがなく）安全が確保でき、また（前記アースバケット式のように排出された掘削土が強い勢いで飛散することがないので）排出された掘削土を片付けやすい。
【００３１】
３）  掘削軸にほぼ垂直に回転スライドさせる構成とすることで、中掘り装置(1)の回転力を援用して、地中で、蓋体(8)のシャッター(91)の開閉の遠隔操作（間接的操作）を行うことができる。
【００３２】
４）  蓋体(8)および開口部(82)が略半円状で構成されることで、回転スライド式の蓋体(8)の掘削土の高い格納効率と、確実な操作性が得られる。
【００３３】
５）  上記回転スライド式の蓋体(8)下面に掘削刃(21)を直接又は間接に配設（植設）することで、中掘り装置(1)の機械長さ（クレーン(76)で吊り下げたときの機械高）を削減でき、省スペース化できる。更に、蓋体(8)下面から突出した状態で配設される掘削刃(21)は、それが地盤に突き刺さっている（もしくは、引っかかっている）状態にすれば、蓋体(8)に対し中掘り装置(1)が回転を加えた際に、開口（または閉塞）するようにシャッター(91)が回転スライドするための反力としての機能を兼備するようになり、（わざわざ、シャッター開閉のために専用の動力系を装置に加え、徒に構成を複雑にすることなく）、最小限の構成で合理的に蓋体(8)の操作性を向上させることができる。
【００３４】
６）  上記掘削時の開口部(82)に隣接する側に掘削刃(21)を配設し（その点対称の位置には掘削刃を配設しない）でいることで、開口部(82)及びカプセルパイプ(41)内への土砂の取り込みが良くなる。
【００３５】
７）  上記回転スライド式の蓋体(8)の回転中心位置にパイロットビット(22)を突設させることで、中掘り装置の直進性を確保できる。特に、上記６）の構成のように、中掘り装置(1)の蓋体(8)下面片側にのみ掘削刃(21)が配設されている場合、中掘り装置(1)の回転中心の片側にのみ負荷がかかることになることから機械姿勢の傾きが懸念されるが、パイロットビット(22)が先行して地中に差し込まれていることで、回転中心が固定でき、ずれにくくなり、直進性が確保できる。
【００３６】
８）  上記略半円状のシャッター(91)に配設（植設）された掘削刃が、掘削装置の回転力を介して装置下端の円断面より大きい径の円を形成することができ、掘削径を拡大自在に構成されていることにより、例えば、老朽化したコンクリート護岸部に直接鋼管を打込み補強を行う工事において、以下のような効果を得ることができる。
供用中の既設コンクリート護岸部等を鋼管杭や鋼管矢板による壁状構造を用いて補強する場合、その性能を保持しながら補強工事を行う必要があり、コンクリート護岸部等に杭体の圧入に先行して砂置換工等を行うなどの施工手順は断面欠損の生じた状態の構造物と改変された地山を長期間放置することは望ましくない。
一方、上記の理由で直接杭体を圧入することが必要となる護岸の補強に際して、標準的な圧入工法は、機械による圧入力のみで杭の打込みを行うため、コンクリート護岸部への圧入が不能で適応できない。
それが本考案によれば、中掘り機（カプセルホウ（商標））に専用拡大ヘッドを装着し杭下端から突出させ、コンクリート等の硬質な圧入対象に削孔を施し、圧入を先導することができ、その結果、護岸構造の機能を保持しながら削孔することできるようになる。
また、回転切削によらない圧入施工が行えることから、鋼管矢板の圧入を行うことも可能となる。
【考案を実施するための最良の形態】
【００３７】
以下、添付図面に基づいて、本考案の具体的実施形態について詳細に説明する。
図１は、本考案の中掘り装置１を示す全体図である。
図２は、図１の中掘り装置の先端側（蓋体８の周囲）を示す拡大図である。
図３は、図１の中掘り装置の先端側を示す拡大図であって、右側面から見た状態を示している。なお、掘削ビット２１の配設状態、作用等を明らかにするため、底部中央のパイロットビット２２等の図示は省略してある。
図４（ａ）は蓋体８の上蓋８１を示す底面図であり、図４（ｂ）は下蓋をなすシャッター９１を示す底面図である。
図５は図１の中掘り装置の底面図である。同図において、（ａ）は蓋体８のシャッター９１が「開放位置」にある状態を示しており、（ｂ）はシャッター９１が「閉塞位置」にある状態を示している。
【００３８】
（中掘り装置の構成）
図１に示す本考案の中掘り装置１は、図８の従来の中掘り装置と同様に、上部装置１ａと下部装置１ｂを含んで構成されている。上部装置１ａの構成は、従来の中掘り装置２と同様であるので、同じ構成については同一符号を用い、その詳細な説明は省略する。下部装置１ｂについては、従来技術との相違点を中心に以下具体的に説明する。
【００３９】
本考案に係る中掘り装置１の下部装置１ｂは、掘削土を一時的に格納するためのカプセルパイプ（掘削土格納パイプ）４１と、その内側で相対回転可能に設けられたスクリュー４３と、該スクリューを回転させるための回転駆動装置５と、スクリュー軸４４の先端側（図において下端側）に配設された蓋体８とを有している。蓋体８は上下に重なる２枚の蓋（上蓋８１，下蓋９１）を含んで構成され、その底面側に掘削ビット２１、パイロットビット２２を備えている。なお、蓋体８は、カプセルパイプ４１の底蓋としても機能するものであるが、該カプセルパイプ４１に対し固定されてはいない。
【００４０】
カプセルパイプ４１内には、掘削を推進するにつれ掘削土が取り込まれ、孔外へ排出するまでの間の該掘削土が格納される。スクリュー４３は、カプセルパイプ４１内に取り込まれた掘削土をリフトアップさせるとともに、そのスクリューフィン４５により掘削土をカプセルパイプ内に閉じ込める役割を担う。このスクリュー軸４４の上端側は、従来と同様に回転駆動装置５に接続されている。
【００４１】
蓋体８は、スクリュー軸４４の先端に固設された上蓋８１と、該上蓋に対して所定角度範囲内で相対回転可能に設けられたシャッター（下蓋）９１とを有している。上蓋８１には、図４（ａ）に示すように、掘削土をカプセルパイプ４１内に取り込むための開口部８２が形成されている。下蓋としてのシャッター９１は、上蓋８１の開口部８２を必要に応じて開放・閉塞する回転スライド式シャッターとして構成されている。
以下、蓋体８の詳細について説明する。
【００４２】
蓋体８の上蓋８１は、スクリュー４３の先端に固設され、該スクリューと一体回転する。上蓋８１の開口部８２は、図４（ａ）に示すように略半円状に形成されており、カプセルパイプ４１への掘削土取込口として機能する。上蓋８１の底面側には、下蓋としてのシャッター９１が自在に回転スライドできるように設けられている。ただし、スライド式シャッター９１の回転角度を規制するため、所定位置にブロック状のストッパー８３が固設されている（図４（ａ）参照）。ストッパー８３は上蓋８１の底面側に突設されており、シャッター９１の所定位置と当接するようになっている。
【００４３】
下蓋をなすシャッター９１は、図５に示すように、上蓋８１の開口部８２を開放する「開放位置」と、該開口部を閉塞する「閉塞位置」との間の、所定角度範囲内で自在に回転スライドできるように設けられている。地盤の掘削を行っている間は「開放位置」にセットされ（図５（ａ））、カプセルパイプ４１内の掘削土を孔外へ排出する際には搬送中「閉塞位置」にセットされる（図５（ｂ））。このようなシャッター９１の位置決め（回転スライド）は、後述するようにスクリュー４３の回転駆動方向を変えることにより、自在に制御することができる。
【００４４】
シャッター９１は、底面側（図４（ｂ））から見て、略半円状の形状を有し、上蓋８１の開口部８２より一回り大きい面積を有する。シャッター９１は、その中央に回転体９２を一体的に備えている。回転体９２は、上蓋８１に対して回転自在に設けられている。回転体９２の底部には、図２に示すように、パイロットビット２２が植設されている。パイロットビット２２の配設位置は特に限定されないが、シャッター９１の回転中心位置またはその近傍に突設することが好ましい。
【００４５】
回転体９２の周囲には、略半円状のスライドパネル９４が一体回転可能に設けられている。このスライドパネル９４は、スクリュー４３の回転軸（すなわち掘削軸）とほぼ直交する面上で回転スライドするように、回転体９２に対し一体的に設けられている。
【００４６】
略半円状スライドパネル９４の底面側の一端には、掘削ビット２１が設けられている。この掘削ビット２１は、図３に示すように、掘進方向（軸方向）に対して傾斜させて設けられており、地盤を掘削するとともに、掘削土を上方（上蓋８１の開口部８２の方向）へ掬い上げる役割を担っている。したがって、シャッター９１が「開放位置」にある状態において、掘削ビット２１が開口部８２直下の領域へ突き出るように（図３，図５（ａ）参照）、該掘削ビットを傾斜させて（正転方向に傾斜させた状態で）固設することが好ましい。また掘削時において、効率的に掘削土を開口部８２から取り込むために、該開口部直下の領域に掘削ビット２１が追随するように、図５（ａ）に示す如く開口部８２に隣接する側に掘削ビット２１を配設することが好ましい。
【００４７】
（中掘り装置の作用）
次に、上記構成の中掘り装置１の作用について説明する。
【００４８】
はじめに、地盤の掘削を開始するまでの前作業について、図７に示す施行態様を援用して説明する。
中掘り装置１を用いた掘削では、はじめに、地上部に設置されたケーシング圧入装置６１により圧入されたケーシングパイプ類６２の内側に、クレーン７６で吊設した中掘り装置１を挿入する。続いて、上部装置１ａの圧着体１２ａをケーシングパイプ類６２の内壁面に対し圧着させて、回転駆動装置５の回転反力および油圧シリンダ７０の圧入反力を該ケーシングパイプ類６２に支持させる。そして、反力をケーシングパイプ類６２に支持させた状態で、上部装置１ａの油圧シリンダ７０を伸長させて、スクリュー４３を介して先端の掘削ビット２１，パイロットビット２２に押し込み作用を与え、下部装置１ｂの回転駆動装置５でスクリュー４３を回転（正転）させる。
【００４９】
この際、シャッター９１は図５（ａ）に示す「開放位置」にあり、上蓋８１の開口部８２は開放されている。なお、回転駆動開始時（掘削開始時）にシャッター９１が「閉塞位置」にある場合には（又は開口部８２が半開きの場合には）、スクリュー４３と上蓋８１が一体回転する一方で、シャッター９１だけが地盤の抵抗を受けほぼ静止した状態になる。その結果、シャッター９１が相対的に回転スライドするので、該シャッターを「開放位置」にセットすることができる。なお、シャッターが「開放位置」まで回転すると、図５（ａ）に示すように、上蓋８１から突き出たストッパー８３がシャッター９１の一端に当接するので、開放位置を越えてスライドすることはない。
【００５０】
そして、図５（ａ）の「開放位置」にある状態でスクリュー４３を正転させている間は、シャッター９１が上蓋８１のストッパー８３の干渉を受ける結果、スクリュー４３と上蓋８１とシャッター９１の全体が一体回転する。その結果、シャッター９１の底面側に設けられた掘削ビット２１、パイロットビット２２により地盤を掘削することができる。
【００５１】
地盤を掘削している間は、掘削ビット２１が、開口部８２直下の領域を追随するようにして、掘削径の範囲内を旋回し続ける。したがって、掘削に伴って生じた掘削土は、傾斜した掘削ビット２１によって掬い上げられ（図３参照）、そのまま上蓋８１の開口部８２を介してカプセルパイプ４１内に取り込まれる。さらにカプセルパイプ４１内では、掘削土はスクリューフィン４５でリフトアップされ、該カプセルパイプ内に収納される。
【００５２】
そして、掘削を続けてカプセルパイプ４１の容量が一杯になったら、スクリュー４３を逆転させる。すると、スクリュー４３と上蓋８１が逆方向に一体回転する一方で、シャッター９１だけが地盤の抵抗を受けほぼ静止した状態になる。その結果、シャッター９１が相対的に回転スライドして、図５（ｂ）の「閉塞位置」にセットすることができる。なお、シャッターが「閉塞位置」まで回転すると、上蓋８１から突き出たストッパー８３がシャッター９１の一端に当接するので、閉塞位置を越えてスライドすることはない。
【００５３】
続いて、上部装置１ａにおける圧着状態を解除して中掘り装置１を引上げ、ケーシングパイプ類６２の外側でスクリュー３を逆回転させて、カプセルパイプ９内に収納された掘削土７３をカプセルパイプ９から排出させる。
【００５４】
（中掘り装置の変形例）
以上、本考案の中掘り装置について説明したが、本考案の構成は上記実施形態に限定されるものではなく、請求の範囲内で種々の改変が可能である。
たとえば、蓋体８の底面側に設ける掘削ビットは、図４（ｂ）に示す固定式の掘削ビット２１に限定されず、これに代えて（或いは併用して）、図６に示すようなスイング自在の掘削ビット２３を採用することもできる。このスイング式掘削ビット２３は掘削径を拡大自在に構成されており、回転駆動装置５を正転駆動させることにより、周辺地盤の抵抗を受けて拡径位置へスイングし、逆転駆動させることにより縮径位置へスイングする。したがって、中掘り装置の回転力を介して装置下端の円断面より大きい径の円を形成することができる。
【００５５】
（中掘り装置の効果）
上述した中掘り装置によれば、従来工法（スクリュードライバー工法）で掘削が困難だった固結性に乏しい砂礫・シルトといった地盤やそれらを対象とした水中掘削においても、掘削ずりを途中で落とすこともなく、効率よく作業ができるようになるという優れた効果が奏される。
【図面の簡単な説明】
【００５６】
【図１】本考案の中掘り装置を示す全体図である。
【図２】図１の中掘り装置の先端側（蓋体の周囲）を示す拡大図である。
【図３】図１の中掘り装置の先端側を示す拡大図であって、右側面から見た状態を示している（パイロットビットの図示は省略）。
【図４】（ａ）は蓋体の上蓋を示す底面図であり、（ｂ）は下蓋をなすシャッターを示す底面図である。
【図５】図１の中掘り装置の底面図であり、（ａ）はシャッターが「開放位置」にある状態を示しており、（ｂ）はシャッターが「閉塞位置」にある状態を示している。
【図６】中掘り装置に設ける掘削ビットの変形例を示す底面図である。
【図７】従来の中堀り装置を用いた施工態様の概略を示す全体図である。
【図８】図７の従来の中掘り装置を示す拡大図である。
【図９】（ａ）は図８のＡ−Ａ線に沿った断面図であり、（ｂ）は図８のＢ−Ｂ線に沿った断面図である。
【符号の説明】
【００５７】
１        中掘り装置（本願考案）
１ａ      上部装置
１ｂ      下部装置
２        中掘り装置（従来技術）
２ａ      上部装置
２ｂ      下部装置
３        オーガースクリュー
４        内管
５        回転駆動装置
６        外管
８        蓋体
９        カプセルパイプ
１１      プレート
１２ａ    圧着体
１２ｂ    楔体
１２ｃ    ピン
１５      油圧シリンダ
２１      掘削ビット
２２      パイロットビット
２３      掘削ビット
３０      ドリルシャフト
３１      掘削ビット（掘削ヘッド）
３２      フィン
４１      カプセルパイプ（掘削土格納パイプ）
４３      スクリュー
４４      スクリュー軸
４５      スクリューフィン
６１      ケーシング圧入装置
６２      ケーシングパイプ類
７０      油圧シリンダ
７１      地盤
７２      硬質地盤
７３      スライム
７５      ピストンロッド
７６      クレーン
７７      ワイヤー
７８      フック
８１      上蓋
８２      開口部
８３      ストッパー
９１      シャッター（下蓋）
９２      回転体
９４      スライドパネル
【図１】
0003145827.tif 000003
【図２】
0003145827.tif 000004
【図３】
0003145827.tif 000005
【図４】
0003145827.tif 000006
【図５】
0003145827.tif 000007
【図６】
0003145827.tif 000008
【図７】
0003145827.tif 000009
【図８】
0003145827.tif 000010
【図９】
0003145827.tif 000011